(57)【要約】【課題】Ｌ型土留めブロックと同一平面の基礎に配置することによって埋め戻し工程を１回少なくすることができ、また、Ｌ型土留めブロックと当接配置することによってフェンスをＬ型土留めブロックに近接して設置することができる、フェンス基礎ブロック及びフェンス基礎ブロック施工法を提供すること。【解決手段】本発明のフェンス基礎ブロックは、Ｌ型土留めブロック２０とともに用いられるフェンス基礎ブロック１０であって、上方に開口し、フェンス柱３０を挿入する空間を形成する柱保持部１１と、柱保持部１１を立脚する脚部１２とを有し、柱保持部１１には、壁部内面当接面１１ａを形成し、脚部１２には、底部上面当接面１２ａと、底部端面当接面１２ｂとを形成した。【選択図】      図１
2015175217.tif 000002
【特許請求の範囲】
【請求項１】
Ｌ型土留めブロックが、埋め土を内面で受ける壁部と、前記埋め土を上面で受ける底部とでＬ型に構成され、
前記Ｌ型土留めブロックとともに用いられるフェンス基礎ブロックであって、
上方に開口し、フェンス柱を挿入する空間を形成する柱保持部と、
前記柱保持部を立脚する脚部と
を有し、
前記柱保持部には、前記壁部の前記内面に当接する壁部内面当接面を形成し、
前記脚部には、前記底部の前記上面に当接する底部上面当接面と、前記底部の端面に当接する底部端面当接面とを形成したことを特徴とするフェンス基礎ブロック。
【請求項２】
前記柱保持部が、前記壁部の前記内面側の面に開口する側面開口部を有することを特徴とする請求項１に記載のフェンス基礎ブロック。
【請求項３】
前記側面開口部によって前記柱保持部の水平断面をコ字状としたことを特徴とする請求項２に記載のフェンス基礎ブロック。
【請求項４】
前記壁部内面当接面の天端には、前記Ｌ型土留めブロックの方向に突出させた天端当接部を形成し、
前記天端当接部を、前記Ｌ型土留めブロックの上部と当接させたことを特徴とする請求項１から請求項３のいずれか１項に記載のフェンス基礎ブロック。
【請求項５】
前記柱保持部及び前記脚部を、前記柱保持部の左部分及び前記脚部の左部分を一体に成形した左フェンス基礎ブロックと、前記柱保持部の右部分及び前記脚部の右部分を一体に成形した右フェンス基礎ブロックとで構成したことを特徴とする請求項１から請求項４のいずれか１項に記載のフェンス基礎ブロック。
【請求項６】
前記柱保持部及び前記脚部を、前記柱保持部を一体に成形した柱保持部成形ブロックと、前記脚部を一体に成形した脚部成形ブロックとで構成したことを特徴とする請求項１から請求項５のいずれか１項に記載のフェンス基礎ブロック。
【請求項７】
埋め土を内面で受ける壁部と、前記埋め土を上面で受ける底部とでＬ型に構成されたＬ型土留めブロックと、
上方に開口し、フェンス柱を挿入する空間を形成する柱保持部、及び前記柱保持部を立脚する脚部を有し、前記Ｌ型土留めブロックと対向する面を前記Ｌ型土留めブロックの前記壁部の前記内面及び前記底部の前記上面に当接する形状としたフェンス基礎ブロックとを用いるフェンス基礎ブロック施工法であって、
地盤を掘削排土して掘削溝を形成する掘削溝形成工程と、
前記掘削溝に前記Ｌ型土留めブロックを配置し、前記フェンス基礎ブロックを前記Ｌ型土留めブロックに当接して配置するブロック配置工程と、
前記フェンス基礎ブロックの埋め戻しを行う埋め戻し工程と
を備えたことを特徴とするフェンス基礎ブロック施工法。
【請求項８】
埋め土を内面で受ける壁部と、前記埋め土を上面で受ける底部とでＬ型に構成されたＬ型土留めブロックと、
上方に開口し、フェンス柱を挿入する空間を形成する柱保持部、及び前記柱保持部を立脚する脚部を有し、前記Ｌ型土留めブロックと対向する面を前記Ｌ型土留めブロックの前記壁部の前記内面及び前記底部の前記上面に当接する形状とし、前記柱保持部を一体に成形した柱保持部成形ブロックと、前記脚部を一体に成形した脚部成形ブロックとで構成したフェンス基礎ブロックとを用いるフェンス基礎ブロック施工法であって、
地盤を掘削排土して掘削溝を形成する掘削溝形成工程と、
前記掘削溝に前記Ｌ型土留めブロックを配置し、前記脚部成形ブロックを前記Ｌ型土留めブロックの前記底部の前記上面に当接して配置し、前記柱保持部成形ブロックを前記Ｌ型土留めブロックの前記壁部の前記内面に当接して配置するブロック配置工程と、
前記柱保持部成形ブロックと前記脚部成形ブロックとを接着するフェンス基礎ブロック一体化工程と、
前記フェンス基礎ブロックの埋め戻しを行う埋め戻し工程とを備えたことを特徴とするフェンス基礎ブロック施工法。
【発明の詳細な説明】
【技術分野】
【０００１】
本発明は、フェンス基礎ブロック及びフェンス基礎ブロック施工法に関する。
【背景技術】
【０００２】
住宅地や公園等の敷地境界線にフェンスを設置する場合には、地盤を掘削してＬ型土留めブロックを敷地境界線に沿って連設し、そのＬ型土留めブロックより敷地内方に所定の間隔をおいてフェンス基礎ブロックを埋設し、そのフェンス基礎ブロックにフェンス柱を挿入してフェンスを立設するのが一般的である。
図８を用いて、Ｌ型土留めブロックとフェンス基礎ブロックの従来の施工法を説明する。図８（ａ）は施工前の状態を表している。
まず、傾斜面を含む地盤を掘削排土してＬ型土留めブロック１２０の基礎となる掘削溝１００を形成する（図８（ｂ））。次に、掘削溝１００にＬ型土留ブロック１２０を配置する（図８（ｃ））。次に、１回目の埋め戻し作業を行い、Ｌ型土留めブロック１２０の下部を埋設するとともにフェンス基礎ブロック用基礎１０１を形成する（図８（ｄ））。次に、フェンス基礎ブロック用基礎１０１にフェンス基礎ブロック１１０を配置する（図８（ｅ））。次に、２回目の埋め戻し作業を行い、Ｌ型土留めブロック１２０の内面側とフェンス基礎ブロック１１０を埋設する（図８（ｆ））。そして、フェンス基礎ブロック１１０にフェンス柱を挿入することによりフェンスを立設する（図示なし）。
上記のように従来の施工方法では、埋め戻し工程が少なくとも２回必要になる。また、フェンス基礎ブロック１１０はＬ型土留めブロック１２０から離して配置されるため、その距離分だけ、フェンスの立設位置が敷地境界線より内側となってしまい、敷地を狭めてしまう。
ここで、特許文献１には、フェンス等の脚部材を支持する孔が直線状に穿孔された立設部と基礎となる水平部からなる角筒状のコンクリート境界用ブロックが記載されている。また、特許文献２には、擁壁にフェンスを装着するための孔を形成し、他方フェンスブロックにもフェンスを装着し得る孔を形成し、この両孔がフェンスを固定した際互いに補完し合ってフェンスの脚部の断面を囲繞するようにした擁壁が記載されている。これらのコンクリート境界用ブロック又は擁壁によれば、フェンスの立設位置を敷地境界線に近づけることができる。
【先行技術文献】
【特許文献】
【０００３】
【特許文献１】特開２０１３−２２１３８６号公報
【特許文献２】実開平５−３８０３７号公報
【発明の概要】
【発明が解決しようとする課題】
【０００４】
しかし、特許文献１記載のコンクリート境界用ブロックは、Ｌ型土留めブロックとフェンス基礎ブロックの役割を併せ持つブロックであり、Ｌ型土留めブロックとフェンス基礎ブロックとを別々に配置するものではない。また、特許文献２に記載の擁壁は、フェンスブロックを擁壁にボルトで締付け固定する必要があるため施工性がよくない。さらに、フェンス基礎ブロックが擁壁の上部に配置されているため安定性もよくない。
そこで、本発明は、Ｌ型土留めブロックと同一平面の基礎に配置することができ、フェンスを敷地境界線に近接して設置することができる、フェンス基礎ブロック及びフェンス基礎ブロック施工法を提供することを目的とする。
【課題を解決するための手段】
【０００５】
請求項１記載の本発明のフェンス基礎ブロックは、Ｌ型土留めブロックが、埋め土を内面で受ける壁部と、前記埋め土を上面で受ける底部とでＬ型に構成され、前記Ｌ型土留めブロックとともに用いられるフェンス基礎ブロックであって、上方に開口し、フェンス柱を挿入する空間を形成する柱保持部と、前記柱保持部を立脚する脚部とを有し、前記柱保持部には、前記壁部の前記内面に当接する壁部内面当接面を形成し、前記脚部には、前記底部の前記上面に当接する底部上面当接面と、前記底部の端面に当接する底部端面当接面とを形成したことを特徴とする。
請求項２記載の本発明は、請求項１に記載のフェンス基礎ブロックにおいて、前記柱保持部が、前記壁部の前記内面側の面に開口する側面開口部を有することを特徴とする。
請求項３記載の本発明は、請求項２に記載のフェンス基礎ブロックにおいて、前記側面開口部によって前記柱保持部の水平断面をコ字状としたことを特徴とする。
請求項４記載の本発明は、請求項１から請求項３のいずれか１項に記載のフェンス基礎ブロックにおいて、前記壁部内面当接面の天端には、前記Ｌ型土留めブロックの方向に突出させた天端当接部を形成し、前記天端当接部を、前記Ｌ型土留めブロックの上部と当接させたことを特徴とする。
請求項５記載の本発明は、請求項１から請求項４のいずれか１項に記載のフェンス基礎ブロックにおいて、前記柱保持部及び前記脚部を、前記柱保持部の左部分及び前記脚部の左部分を一体に成形した左フェンス基礎ブロックと、前記柱保持部の右部分及び前記脚部の右部分を一体に成形した右フェンス基礎ブロックとで構成したことを特徴とする。
請求項６記載の本発明は、請求項１から請求項５のいずれか１項に記載のフェンス基礎ブロックにおいて、前記柱保持部及び前記脚部を、前記柱保持部を一体に成形した柱保持部成形ブロックと、前記脚部を一体に成形した脚部成形ブロックとで構成したことを特徴とする。
請求項７記載の本発明のフェンス基礎ブロック施工法は、埋め土を内面で受ける壁部と、前記埋め土を上面で受ける底部とでＬ型に構成されたＬ型土留めブロックと、上方に開口し、フェンス柱を挿入する空間を形成する柱保持部、及び前記柱保持部を立脚する脚部を有し、前記Ｌ型土留めブロックと対向する面を前記Ｌ型土留めブロックの前記壁部の前記内面及び前記底部の前記上面に当接する形状としたフェンス基礎ブロックとを用いるフェンス基礎ブロック施工法であって、地盤を掘削排土して掘削溝を形成する掘削溝形成工程と、前記掘削溝に前記Ｌ型土留めブロックを配置し、前記フェンス基礎ブロックを前記Ｌ型土留めブロックに当接して配置するブロック配置工程と、前記フェンス基礎ブロックの埋め戻しを行う埋め戻し工程とを備えたことを特徴とする。
請求項８記載の本発明のフェンス基礎ブロック施工法は、埋め土を内面で受ける壁部と、前記埋め土を上面で受ける底部とでＬ型に構成されたＬ型土留めブロックと、上方に開口し、フェンス柱を挿入する空間を形成する柱保持部、及び前記柱保持部を立脚する脚部を有し、前記Ｌ型土留めブロックと対向する面を前記Ｌ型土留めブロックの前記壁部の前記内面及び前記底部の前記上面に当接する形状とし、前記柱保持部を一体に成形した柱保持部成形ブロックと、前記脚部を一体に成形した脚部成形ブロックとで構成したフェンス基礎ブロックとを用いるフェンス基礎ブロック施工法であって、地盤を掘削排土して掘削溝を形成する掘削溝形成工程と、前記掘削溝に前記Ｌ型土留めブロックを配置し、前記脚部成形ブロックを前記Ｌ型土留めブロックの前記底部の前記上面に当接して配置し、前記柱保持部成形ブロックを前記Ｌ型土留めブロックの前記壁部の前記内面に当接して配置するブロック配置工程と、前記柱保持部成形ブロックと前記脚部成形ブロックとを接着するフェンス基礎ブロック一体化工程と、前記フェンス基礎ブロックの埋め戻しを行う埋め戻し工程とを備えたことを特徴とする。
【発明の効果】
【０００６】
本発明によれば、Ｌ型土留めブロックと同一平面の基礎に配置することによって埋め戻し工程を１回少なくすることができ、また、Ｌ型土留めブロックと当接配置することによってフェンスを敷地境界線に近接して設置することができる、フェンス基礎ブロック及びフェンス基礎ブロック施工法を提供することができる。
【図面の簡単な説明】
【０００７】
【図１】第１の実施例によるフェンス基礎ブロックをＬ型土留めブロックに当接配置した状態を示す図
【図２】同フェンス基礎ブロックとともに用いられるＬ型土留めブロックの構成図
【図３】同フェンス基礎ブロックの構成図
【図４】同フェンス基礎ブロックを用いた場合の底面寸法と従来のフェンス基礎ブロックを用いた場合の底面寸法の差を示す図
【図５】第２の実施例によるフェンス基礎ブロックの構成図
【図６】第３の実施例によるフェンス基礎ブロックの構成図
【図７】本発明によるフェンス基礎ブロックを用いた施工法の説明図
【図８】従来のフェンス基礎ブロックを用いた施工法の説明図
【発明を実施するための形態】
【０００８】
本発明の第１の実施形態によるフェンス基礎ブロックは、上方に開口し、フェンス柱を挿入する空間を形成する柱保持部と、柱保持部を立脚する脚部とを有し、柱保持部には、壁部の内面に当接する壁部内面当接面を形成し、脚部には、底部の上面に当接する底部上面当接面と、底部の端面に当接する底部端面当接面とを形成したものである。本実施の形態によれば、柱保持部をフェンス基礎ブロック側に近接させるとともに、フェンス基礎ブロックの底面とＬ型土留めブロックの底面とを揃えることができる。したがって、フェンスを敷地境界線に近接して設置することができるとともに、フェンス基礎ブロックとＬ型土留めブロックとを同一平面の基礎に配置することができる。さらに、同一平面の基礎に配置することによって、基礎と接する両ブロックの底面積が大きくなり安定性が向上する。また、フェンス基礎ブロックとＬ型土留めブロックとを当接させることによって両ブロックの間に埋め土が入り込まず、安定性が向上する。
本発明の第２の実施形態は、第１の実施形態によるフェンス基礎ブロックにおいて、柱保持部が、壁部の内面側の面に開口する側面開口部を有するものである。本実施の形態によれば、柱保持部の囲繞壁の一部は、Ｌ型土留めブロックの壁部を利用して形成されるため、フェンスを敷地境界線側により一層近接して設置することができる。
本発明の第３の実施形態は、第２の実施形態によるフェンス基礎ブロックにおいて、側面開口部によって柱保持部の水平断面をコ字状としたものである。本実施の形態によれば、柱保持部の内面寸法を大きくとることができるため、サイズの大きいフェンス柱であっても柱保持部に受け入れることができる。
本発明の第４の実施形態は、第１から第３のいずれか１つの実施形態によるフェンス基礎ブロックにおいて、壁部内面当接面の天端には、Ｌ型土留めブロックの方向に突出させた天端当接部を形成し、天端当接部を、Ｌ型土留めブロックの上部と当接させたものである。本実施の形態によれば、天端当接部とＬ型土留めブロックの上部とが当接するため、フェンス基礎ブロックとＬ型土留めブロックとの密着性が高まり、両ブロックの間に埋め土が入り込むことがなく、より一層安定性が向上する。
本発明の第５の実施形態は、第１から第４のいずれか１つの実施形態によるフェンス基礎ブロックにおいて、柱保持部及び脚部を、柱保持部の左部分及び脚部の左部分を一体に成形した左フェンス基礎ブロックと、柱保持部の右部分及び脚部の右部分を一体に成形した右フェンス基礎ブロックとで構成したものである。本実施の形態によれば、フェンス基礎ブロックの成形が一体成形よりも容易となる。また、分割片ごとに運搬することもできるので、一体にすると重くて持てない場合などに有用である。
本発明の第６の実施形態は、第１から第５のいずれか１つの実施形態によるフェンス基礎ブロックにおいて、柱保持部及び脚部を、柱保持部を一体に成形した柱保持部成形ブロックと、脚部を一体に成形した脚部成形ブロックとで構成したものである。本実施の形態によれば、フェンス基礎ブロックの成形が一体成形よりも容易となる。また、分割片ごとに運搬することもできるので、一体にすると重くて持てない場合などに有用である。
本発明の第７の実施形態によるフェンス基礎ブロック施工法は、埋め土を内面で受ける壁部と、埋め土を上面で受ける底部とでＬ型に構成されたＬ型土留めブロックと、上方に開口し、フェンス柱を挿入する空間を形成する柱保持部、及び柱保持部を立脚する脚部を有し、Ｌ型土留めブロックと対向する面をＬ型土留めブロックの壁部の内面及び底部の上面に当接する形状としたフェンス基礎ブロックとを用い、地盤を掘削排土して掘削溝を形成する掘削溝形成工程と、掘削溝にＬ型土留めブロックを配置し、フェンス基礎ブロックをＬ型土留めブロックに当接して配置するブロック配置工程と、フェンス基礎ブロックの埋め戻しを行う埋め戻し工程とを備えたものである。本実施の形態によれば、埋め戻し作業は、掘削溝にＬ型土留めブロックとフェンス基礎ブロックとを当接して配置した後の１回だけで済み、作業性が向上する。また、フェンス基礎ブロックの柱保持部はＬ型土留めブロックの壁部内面に当接するため、柱保持部をフェンス基礎ブロック側に近接させることができる。したがって、フェンスを敷地境界線に近接して設置することができる。
本発明の第８の実施形態によるフェンス基礎ブロック施工法は、埋め土を内面で受ける壁部と、埋め土を上面で受ける底部とでＬ型に構成されたＬ型土留めブロックと、上方に開口し、フェンス柱を挿入する空間を形成する柱保持部、及び柱保持部を立脚する脚部を有し、Ｌ型土留めブロックと対向する面をＬ型土留めブロックの壁部の内面及び底部の上面に当接する形状とし、柱保持部を一体に成形した柱保持部成形ブロックと、脚部を一体に成形した脚部成形ブロックとで構成したフェンス基礎ブロックとを用い、地盤を掘削排土して掘削溝を形成する掘削溝形成工程と、掘削溝にＬ型土留めブロックを配置し、脚部成形ブロックをＬ型土留めブロックの底部の上面に当接して配置し、柱保持部成形ブロックをＬ型土留めブロックの壁部の内面に当接して配置するブロック配置工程と、柱保持部成形ブロックと脚部成形ブロックとを接着するフェンス基礎ブロック一体化工程と、フェンス基礎ブロックの埋め戻しを行う埋め戻し工程とを備えたものである。本実施の形態によれば、埋め戻し作業は、掘削溝にＬ型土留めブロックとフェンス基礎ブロックとを当接して配置した後の１回だけで済み、作業性が向上する。また、フェンス基礎ブロックの柱保持部はＬ型土留めブロックの壁部内面に当接するため、柱保持部をフェンス基礎ブロック側に近接させることができる。したがって、フェンスを敷地境界線に近接して設置することができる。また、フェンス基礎ブロックは、一体では重くて持てない場合には分割片ごとに運搬することもできるため、作業性及び安全性が向上する。
【実施例】
【０００９】
以下本発明の一実施例によるフェンス基礎ブロックについて説明する。
図１は、第１の実施例によるフェンス基礎ブロックをＬ型土留めブロックに当接配置した状態を示す図である。図１（ａ）は埋め土を省略した斜視図であり、図１（ｂ）は側面の一部省略断面図である。
図１（ａ）に示すように、本実施例によるフェンス基礎ブロック１０は、住宅地や公園等の敷地境界線に土留めとフェンスを設置しようとする場合等に、Ｌ型土留めブロック２０とともに用いられ、フェンス下部に突設したフェンス柱３０を柱保持部１１で受けて支持するものである。フェンス基礎ブロック１０は、フェンス柱３０の位置に合わせた所定の間隔で配置される。
図１（ｂ）に示すように、Ｌ型土留めブロック２０は、壁部２１の外面２１ａを敷地境界線側に向けて配置され、埋め土１を内面２１ｂで受ける。フェンス基礎ブロック１０は、Ｌ型土留めブロック２０と対向する面をＬ型土留めブロック２０に当接して配置される。Ｌ型土留めブロック２０の下部及びフェンス基礎ブロック１０は埋め土１によって埋設される。また、柱保持部１１には、フェンス柱３０が挿入された後、モルタル等の固化剤２が流し込まれて固められる。
【００１０】
図２は、第１の実施例によるフェンス基礎ブロックとともに用いられるＬ型土留めブロックの構成図である。
図２（ａ）に示すように、Ｌ型土留めブロック２０は、埋め土１を内面２１ｂで受ける壁部２１と、埋め土１を上面２２ａで受ける底部２２とでＬ型に構成される。図２（ｂ）は、複数のＬ型土留めブロック２０を連設した状態を示す。
【００１１】
壁部２１は、内面２１ｂ側に段差部２３を有し、段差部２３より上側の幅寸法Ｘ１は段差部２３より下側の幅寸法Ｘ２よりも小さい。また、下部の内面２１ｂ側は湾曲して底部２２に連接する。
また、底部２２は、垂直な端面２２ｂを有する。
なお、Ｌ型土留めブロック２０は、壁部２１と底部２２とでＬ型に構成されるものであれば、壁部２１及び底部２２の形状等は任意に変更してよい。
【００１２】
図３は、第１の実施例によるフェンス基礎ブロックの構成図である。また、図４は、第１の実施例によるフェンス基礎ブロックを用いた場合の底面寸法と従来のフェンス基礎ブロックを用いた場合の底面寸法の差を示す図であり、図４（ａ）は第１の実施例によるフェンス基礎ブロックを用いた場合の底面寸法を示し、図４（ｂ）は従来のフェンス基礎ブロックを用いた場合の底面寸法を示す。
フェンス基礎ブロック１０は、上方に開口し、フェンス柱３０を挿入する空間を形成する柱保持部１１と、柱保持部１１を立脚する脚部１２とを有し、柱保持部１１には、Ｌ型土留めブロック２０の壁部２１の内面２１ｂに当接する壁部内面当接面１１ａを形成し、脚部１２には、Ｌ型土留めブロック２０の底部２２の上面２２ａに当接する底部上面当接面１２ａと、底部２２の端面２２ｂに当接する底部端面当接面１２ｂとを形成している。
【００１３】
フェンス基礎ブロック１０はＬ型土留めブロック２０に沿って当接するため、図４（ａ）に示すように、柱保持部１１の天端と壁部２１の天端とを揃えることができるとともに脚部１２の底面と底部２２の底面とを揃えることができる。したがって、フェンス基礎ブロック１０とＬ型土留めブロック２０とを同一平面の基礎に配置することができ、Ｌ型土留めブロック２０の基礎となる掘削溝３とは異なる平面にフェンス基礎ブロック１０用の基礎を形成する必要がない。さらに、Ｌ型土留めブロック２０とフェンス基礎ブロック１０とは同一平面の基礎に配置されるため、図４に示すように、底面寸法Ｌ１が従来の底面寸法Ｌ２よりも大きくなり、基礎と接するブロックの底面積の割合が大きくなり安定性が向上する。
また、フェンス基礎ブロック１０の柱保持部１１はＬ型土留めブロック２０の壁部２１の内面２１ｂに沿って当接し、フェンス基礎ブロック１０の脚部１２はＬ型土留めブロック２０の底部２２の上面２２ａ及び端面２２ｂに沿って当接するため、フェンス基礎ブロック１０とＬ型土留めブロック２０との間に埋め土１が入り込まず、安定性が向上する。
なお、フェンス基礎ブロック１０とＬ型土留めブロック２０とは密着するほど安定性が向上するが、両ブロックの対向面に一部当接しない個所があってもよい。
【００１４】
また、壁部内面当接面１１ａの天端には、Ｌ型土留めブロック２０の方向に突出させた天端当接部１３を形成し、天端当接部１３を、Ｌ型土留めブロック２０の上部と当接させている。詳しくは、天端当接部１３の下面１３ａは段差部２３と当接し、天端当接部１３の端面１３ｂはＬ型土留めブロック２０の壁部２１の内面２１ｂと当接する。
天端当接部１３をＬ型土留めブロック２０の上部と当接させることにより、フェンス基礎ブロック１０とＬ型土留めブロック２０との密着性が高まり、両ブロックの間に埋め土１が入り込むことがなく、より一層安定性が向上する。
【００１５】
また、柱保持部１１は、壁部２１の内面２１ｂ側の面に開口する側面開口部１４を有している。
本実施例のように側面開口部１４を有する場合は、Ｌ型土留めブロック２０の壁部２１の内面２１ｂを利用して柱保持部１１の囲繞壁を形成することになるので、柱保持部１１が、側面開口部１４を有しない場合と比べて、フェンスを敷地境界線側により一層近接して設置することができる。
さらに、柱保持部１１は、側面開口部１４によって柱保持部１１の水平断面をコ字状としている。
水平断面は円形、半円形又は多角形等であってもよいが、本実施例のように側面開口部１４によって柱保持部１１の水平断面をコ字状とすることによって、柱保持部１１の内面寸法を大きくとることができるため、よりサイズの大きいフェンス柱３０を柱保持部１１に受け入れることができる。
【００１６】
図５は、第２の実施例によるフェンス基礎ブロックの構成図である。なお、第１の実施例と同一機能部材には同一符号を付して説明を省略する。
本実施例によるフェンス基礎ブロック１０は、柱保持部１１及び脚部１２を、柱保持部１１の左部分及び脚部１２の左部分を一体に成形した左フェンス基礎ブロック１０Ｌと、柱保持部１１の右部分及び脚部１２の右部分を一体に成形した右フェンス基礎ブロック１０Ｒとで構成したものである。
図５（ａ）に示すように、右フェンス基礎ブロック１０Ｒは、貫通孔１７を有し、左フェンス基礎ブロック１０Ｌは、貫通孔１８を有する。
図５（ｂ）に示すように、別々に成形された右フェンス基礎ブロック１０Ｒと左フェンス基礎ブロック１０Ｌは、対応する貫通孔１７と貫通孔１８をボルト１５及びナット１６で固定することによって一体化してフェンス基礎ブロック１０とする。なお、接着剤等で固定することによって一体化してもよい。
このように、右フェンス基礎ブロック１０Ｒと左フェンス基礎ブロック１０Ｌに分けて成形することで、成形がフェンス基礎ブロック１０を一体成形するよりも容易となる。また、フェンス基礎ブロック１０として一体化すると重くて持てない場合などには、右（左）フェンス基礎ブロック１０Ｒ（１０Ｌ）ごとに運搬することもできる。
【００１７】
図６は、第３の実施例によるフェンス基礎ブロックの構成図である。なお、第１の実施例と同一機能部材には同一符号を付して説明を省略する。
本実施例によるフェンス基礎ブロック１０は、図６（ａ）に示すように、柱保持部１１及び脚部１２を、柱保持部１１を一体に成形した柱保持部成形ブロック１１Ｂと、脚部１２を一体に成形した脚部成形ブロック１２Ｂとで構成したしたものである。
別々に成形された柱保持部１１と脚部１２は、図６（ｂ）に示すように、それぞれをＬ型土留めブロック２０に当接配置した後に、隙間Ｓに注入されたモルタル等の固化剤２を介して連接される。
このように、柱保持部成形ブロック１１Ｂと脚部成形ブロック１２Ｂに分けて成形することで、成形がフェンス基礎ブロック１０を一体成形するよりも容易となる。また、フェンス基礎ブロック１０として一体化すると重くて持てない場合などには、柱（脚部）保持部成形ブロック１１Ｂ（１２Ｂ）ごとに運搬することもできる。
【００１８】
次に本発明の一実施例によるフェンス基礎ブロック施工法について説明する。
図７は、本発明によるフェンス基礎ブロックを用いた施工法の説明図である。
本実施例においては、埋め土１を内面５１ｂで受ける壁部５１と、埋め土１を上面５２ａで受ける底部５２とでＬ型に構成されたＬ型土留めブロック５０と、上方に開口し、フェンス柱３０を挿入する空間を形成する柱保持部４１、及び柱保持部４１を立脚する脚部４２を有し、Ｌ型土留めブロック５０と対向する面をＬ型土留めブロック５０の壁部５１の内面５１ｂ及び底部５２の上面５２ａに当接する形状としたフェンス基礎ブロック４０とを用いる。なお、柱保持部４１は、壁部５１の内面５１ｂ側の面に開口する側面開口部４４を有している。
図７（ａ）は施工前の状態を表している。まず、傾斜面を含む地盤を掘削排土してＬ型土留めブロック５０の基礎となる掘削溝３を形成する（図７（ｂ））。次に、掘削溝３にＬ型土留めブロック５０を配置する（図７（ｃ））。次に、フェンス基礎ブロック４０をＬ型土留めブロック５０に当接して配置する（図７（ｄ））。次に、埋め戻し作業を行い、Ｌ型土留めブロック５０の下部とフェンス基礎ブロック４０を埋設する（図７（ｅ））。
【００１９】
上記のように、掘削溝３とは別にフェンス基礎ブロック４０用の基礎を形成する必要がないので、従来の施工法よりも埋め戻し作業を１回少なくすることができる。よって、作業工程が短縮され作業費用を低減することができる。また、フェンス基礎ブロック４０の柱保持部４１はＬ型土留めブロック５０の壁部５１の内面５１ｂに当接するため、フェンスを敷地境界線側に近接して設置することができる。
なお、フェンス基礎ブロック４０とＬ型土留めブロック５０とは密着性が高いほど安定性が向上するが、両ブロックの対向面に一部当接しない個所があってもよい。
【００２０】
また、本実施例において、柱保持部４１を一体に成形した柱保持成形ブロックと、脚部４２を一体に成形した脚部成形ブロックとで構成したフェンス基礎ブロック４０を使用する場合は、掘削溝３にＬ型土留めブロック５０を配置した後、底部５２の上面５２ａに沿って脚部４２を一体に成形した脚部成形ブロックを当接して配置し、壁部５１の内面５１ｂに沿って柱保持部４１を一体に成形した柱保持成形ブロックを当接して配置する。そして、脚部４２を一体に成形した脚部成形ブロックと柱保持部４１を一体に成形した柱保持成形ブロックとの隙間にモルタル等の固化剤２を注入することによって、脚部４２を一体に成形した脚部成形ブロックと柱保持部４１を一体に成形した柱保持成形ブロックとを連接した後に、埋め戻しを行う。
【産業上の利用可能性】
【００２１】
本発明は、主に住宅地や公園等の敷地境界線に土留めとフェンスを設置する場合に、Ｌ型土留ブロックとともに用いられる、フェンス基礎ブロック及びフェンス基礎ブロック施工法として適している。
【符号の説明】
【００２２】
１  埋め土
２  固化剤
３  掘削溝
１０  フェンス基礎ブロック
１０Ｒ  右フェンス基礎ブロック
１０Ｌ  左フェンス基礎ブロック
１１  柱保持部
１１ａ  壁部内面当接面
１１Ｂ  柱保持部成形ブロック
１２  脚部
１２ａ  底部上面当接面
１２ｂ  底部端面当接面
１２Ｂ  脚部成形ブロック
１３  天端当接部
１３ａ  下面
１３ｂ  端面
１４  側面開口部
１５  ボルト
１６  ナット
１７  貫通孔
１８  貫通孔
２０  Ｌ型土留めブロック
２１  壁部
２１ａ  外面
２１ｂ  内面
２２  底部
２２ａ  上面
２２ｂ  端面
２３  段差部
３０  フェンス柱
４０  フェンス基礎ブロック
４１  柱保持部
４２  脚部
４４  側面開口部
５０  Ｌ型土留めブロック
５１  壁部
５１ｂ  内面
５２  底部
５２ａ  上面
【図１】
2015175217.tif 000003
【図２】
2015175217.tif 000004
【図３】
2015175217.tif 000005
【図４】
2015175217.tif 000006
【図５】
2015175217.tif 000007
【図６】
2015175217.tif 000008
【図７】
2015175217.tif 000009
【図８】
2015175217.tif 000010